(57)【要約】  軟質表面、例えば、絨毯及び室内装飾用品を脱臭するための方法及び組成物が開示されている。この方法には、液体組成物を、軟質表面の上に噴霧する工程、及び、この組成物を軟質表面の中に吸収させて、この軟質表面の中に液体凝集物を形成する工程が含まれ、この凝集物は、軟質表面中に存在している臭気物質と接触することができる。この組成物は、室温で液体であり、室温で０．００３５ｍｍＨｇ未満の蒸気圧を有する活性成分を含有している。この活性成分としては例えばトリエチレングリコールが挙げられる。凝集物形成に寄与する他の成分としては、エタノール、水、芳香剤、及び、少なくとも１種の非イオン性界面活性剤と少なくとも１種のイオン性界面活性剤との組合せが含まれる。【特許請求の範囲】
【請求項１】
軟質表面の中に留まっている又は軟質表面の上に吸着した臭気の処理方法であって、
液体組成物を、軟質表面の上に適用する工程であって、該液体組成物が、室温で液体であり、室温で０．００３５ｍｍＨｇ未満の蒸気圧を有する、少なくとも１種の活性成分を含有することを特徴とする、該工程、及び
該組成物を該軟質表面の中に吸収させて、該軟質表面中に存在している悪臭物質と接触させる工程
を含む該方法。
【請求項２】
前記組成物に、前記軟質表面中で凝集物を形成させる工程、及び
前記軟質表面中に存在している悪臭物質を、前記凝集物の中に吸収する工程を更に含む、請求項１に記載の方法。
【請求項３】
幾らかの悪臭物質を、前記軟質表面から脱着させて、環境気相の中に入らせる工程を更に含む、請求項２に記載の方法。
【請求項４】
前記組成物が、水及びアルコール又はグリコールエーテルを更に含有する、請求項２に記載の方法。
【請求項５】
前記組成物が、少なくとも１種の界面活性剤を更に含有する、請求項２に記載の方法。
【請求項６】
前記界面活性剤が、イオン性界面活性剤および非イオン性界面活性剤を含む、請求項５に記載の方法。
【請求項７】
前記界面活性剤が、ポリグリコールエーテル、水素添加油及び第四級アンモニウム塩を含む、請求項６に記載の方法。
【請求項８】
前記組成物が、更に、
水、
エタノール又はグリコールエーテル、
芳香剤、
少なくとも１種の非イオン性界面活性剤及び少なくともカチオン性界面活性剤
を更に含有する、請求項１に記載の方法。
【請求項９】
前記活性成分が、トリエチレングリコール（ＴＥＧ）、ジプロピレングリコール及びプロピレングリコールからなる群から選択されたグリコールであり、前記グリコールが、約０．５重量％〜約１．５重量％の範囲内の量で存在する、請求項８に記載の方法。
【請求項１０】
前記カチオン性界面活性剤が第四級アンモニウム塩を含む、請求項９に記載の方法。
【請求項１１】
前記非イオン性界面活性剤が、水素化ヒマシ油及びポリグリコールエーテルを含む、請求項１０に記載の方法。
【請求項１２】
前記組成物が、
約１重量％〜約１０重量％のエタノール、
約０．５重量％〜約１．５重量％の範囲内の量で存在する、前記活性成分であるトリエチレングリコール（ＴＥＧ）、
約０．２５重量％〜約０．７５重量％の芳香剤、
約０．５重量％〜約２重量％の非イオン性界面活性剤及びイオン性界面活性剤を含有し、残りが水である、請求項１に記載の方法。
【請求項１３】
前記界面活性剤が、水素化ヒマシ油、ポリグリコールエーテル及び第四級アンモニウム塩を含む、請求項１２に記載の方法。
【請求項１４】
軟質表面中の臭気を処理するための組成物であって、
短鎖一価アルコール又はグリコールエーテル、
室温で液体であり、室温で０．００３５ｍｍＨｇ未満の蒸気圧を有する、少なくとも１種の活性成分、
少なくとも１種の界面活性剤、及び
水
を含む組成物。
【請求項１５】
前記少なくとも１種の界面活性剤が、非イオン性界面活性剤及びカチオン性界面活性剤を含む、請求項１４に記載の組成物。
【請求項１６】
前記少なくとも１種の界面活性剤が、ポリグリコールエーテル及び水素添加油及び第四級アンモニウム塩を含む、請求項１４に記載の組成物。
【請求項１７】
前記水素添加油が水素化ヒマシ油であり、前記ポリグリコールエーテルがポリオキシエチレンアルキルエーテルである、請求項１６に記載の組成物。
【請求項１８】
前記活性成分が、トリエチレングリコール（ＴＥＧ）、ジプロピレングリコール、プロピレングリコール及びトリエタノールアミン（ＴＥＡ）からなる群から選択され、約０．５重量％〜約１．５重量％の範囲内の量で存在する、請求項１４に記載の組成物。
【請求項１９】
前記活性成分がＴＥＡである、請求項１８に記載の組成物。
【請求項２０】
前記アルコールがエタノールであって、約１重量％〜約１０重量％の範囲内の量で存在し、
前記活性成分がトリエチレンアミンであって、約０．５重量％〜約１．５重量％の範囲内の量で存在し、
約０．２５重量％〜約０．７５重量％が芳香剤であり、
約０．５重量％〜約２重量％が非イオン性界面活性剤及びイオン性界面活性剤であり、かつ
残りが水である、
請求項１４に記載の組成物。
【請求項２１】
前記界面活性剤が、水素化ヒマシ油、少なくとも１種のポリグリコールエーテル及び第四級アンモニウム塩を含む、請求項２０に記載の組成物。
【請求項２２】
軟質表面中に留まっている又は軟質表面の上に吸着した臭気を処理するための組成物であって、
約１重量％〜約１０重量％のエタノール、
約０．５重量％〜約１．５重量％のＴＥＧ、
約０．２５重量％〜約０．７５重量％の芳香剤、
約０．５重量％〜約１．５重量％の、水素添加油及びポリグリコールエーテルを含む非イオン性界面活性剤、
約０．１重量％〜約１重量％のイオン性界面活性剤としての第四級アンモニウム塩を含み、
残りが水である、該組成物。
【請求項２３】
軟質表面の中に留まっている臭気の処理方法であって、
トリエチレングリコールと、少なくとも１種の短鎖一価アルコールと、水と、イオン性界面活性剤及び非イオン性界面活性剤の組合せとを含有する液体組成物を、軟質表面の上に適用する工程、
前記組成物を前記軟質表面の中に吸収させて、前記軟質表面中に存在している悪臭物質と接触させる工程と、
前記組成物に、前記軟質表面中で凝集物を形成させる工程、及び
前記軟質表面中に存在している悪臭物質を、前記凝集物の中に吸収する工程
を含む方法。
【発明の詳細な説明】
【技術分野】
【０００１】
軟質表面、例えば、絨毯及び室内装飾用品中に留まっている臭気を有効に除去する、改良された液体配合物が開示される。この改良された配合物は、トリエチレングリコールと非イオン性界面活性剤及びイオン性界面活性剤（その１種は、殺菌特性を有する）の組合せとを用いる。
【背景技術】
【０００２】
空気中に浮遊している細菌を殺して室内の空気を消毒するために、ある種のグリコールをエアロゾール又は蒸気の形態で使用することが知られている。ある特定のグリコールであるトリエチレングリコール（「ＴＥＧ」）は、エアロゾール噴霧によって用いられるとき、空気の消毒に特に有効であることが見出された。商業的成功を収めているＯＵＳＴ（登録商標）空気消毒剤製品では、約６重量％のＴＥＧを含有する混合物が使用されている。空気を滅菌するためのＴＥＧのエアロゾール以外による使用については、本件特許出願と共通に譲渡された米国特許第５，５９１，３９５号に開示されている。ＴＥＧは、また、タバコの煙のための空気処理に使用されている。米国特許第６，３９５，２３６号明細書を参照のこと。
【０００３】
トリエチレングリコールは、下記の構造を有する。
【化１】
2009520873.tif 000002
トリエチレングリコール
ＴＥＧは、無色、無臭、非揮発性かつ吸湿性の液体である。これは、その高い水溶性、吸湿性及び空気中に浮遊している臭気発生細菌を無力化するその能力に寄与する、２個のエーテル結合及び２個のヒドロキシル基によって特徴付けられる。ＴＥＧは、商業的に、酸化銀触媒の存在下での高温度でのエチレンの酸化と、続くモノ−、ジ−、トリ−及びテトラ−エチレングリコール生成物を生成するためのエチレンオキシドの水和によって製造することができる。ＴＥＧは低い毒性を有する。
【０００４】
現在まで、軟質表面、例えば、衣類、カーテン、寝具類、絨毯及び室内装飾用品からの臭気発生物質の処理及び除去には、非常に異なった機構が利用されている。ある方法では、臭気制御のための水溶性シクロデキストリンが使用されており、これは米国特許第５，７６０，４７５号、同第６，０７７，３１８号、同第６，２４８，１３５号及び同第６，４５１，０６５号において広範囲に検討されている。これらの特許は全て、水溶性金属塩と組み合わせた水溶性シクロデキストリンの使用を教示している。
【０００５】
シクロデキストリンは、その内部が疎水性である環状構造を有する。この環状構造の外部は親水性であり、そのためシクロデキストリンは水溶性である。疎水性の臭気発生化合物は、シクロデキストリン環状体の疎水性の内部に入り、ファンデルワールス力、水素結合の影響、及びシクロデキストリン内部と臭気発生分子とに共通する疎水性の相互作用により、シクロデキストリン構造と共に安定な錯体を形成する。臭気発生分子と共に安定な錯体を形成することによって、シクロデキストリンは、この分子を空気から隔離し、それによって、それにより発生した臭気を減少させる。水溶性金属塩は、シクロデキストリンと組み合わさって、アミン及び硫黄含有化合物を吸収することができる。
【０００６】
第二のアプローチでは、米国特許第６，４５４，８７６号明細書中に教示されているように、水溶解性／分散性ポリマーが利用されている。前記のようなシクロデキストリン環状体内に臭気発生分子を捕獲又は閉じ込めるシクロデキストリンとは反対に、米国特許第６，４５４，８７６号の水溶解性／分散性ポリマーが、臭気発生分子を覆い隠すフィルムを形成することによって、臭気発生分子を捕獲する。このフィルムは、溶媒又は担体が蒸発して形成される。そして残留するポリマーフィルムは、軟質表面中の臭気発生物質を包含するためのバリヤーを与え、それによって、その周囲の環境への放出及び消費者の臭覚による検出を防止する。
【０００７】
シクロデキストリン及びフィルム形成ポリマー生成物の両方は、溶媒又は担体が蒸発した後に、残留物を残す。また、シクロデキストリンもフィルム形成ポリマーも、如何なる抗菌特性も有していない。
【０００８】
絨毯、室内装飾用品及び衣類中に捕獲された臭気発生分子を処理する際の、他の一層徹底的な手段には、臭気発生分子を除去するための酵素又は洗剤の使用が含まれる。室内装飾用品及び絨毯の場合には、専門的サービス又は特殊機械の賃借がしばしば必要とされる。
【０００９】
従って、容易に洗濯できない軟質表面、即ち、絨毯及び室内装飾用品中の臭気を除去するための改良された手段が要求されている。要求されるものは、絨毯又は室内装飾用品を変色させず、又はこれらの上にフィルム若しくは残留物を形成しない、絨毯及び室内装飾用品中に捕獲されている臭気発生分子に、活性臭気無力化成分を有効に送達する、絨毯又は室内装飾用品の上に噴霧可能な改良された液体適用物である。
【特許文献１】米国特許第６，３９５，２３６号
【特許文献２】米国特許第５，７６０，４７５号
【特許文献３】米国特許第６，０７７，３１８号
【特許文献４】米国特許第６，２４８，１３５号
【特許文献５】米国特許第６，４５１，０６５号
【発明の開示】
【発明が解決しようとする課題】
【００１０】
上記の要求の達成において、軟質表面、例えば、絨毯、室内装飾用品、衣類、シーツ、枕カバーなどの中に留まっている臭気を除去するための方法及び組成物が開示される。
【課題を解決するための手段】
【００１１】
ここで開示される軟質表面を脱臭する方法は、一つの実施形態において、液体組成物を、軟質表面の上に適用する工程であって、該液体組成物が、室温で液体であり、室温で０．００３５ｍｍＨｇ未満の蒸気圧を有する、少なくとも１種の活性成分を含有することを特徴とする、該工程、及び、該組成物を該軟質表面の中に吸収させて、該軟質表面中に存在している悪臭を生じる物質と接触させる工程を含む。
【００１２】
室温で液体であり、室温で０．００３５ｍｍＨｇ未満の蒸気圧を有する活性成分は、グリコール又は他の適切な材料であってよく、そのうち１つはトリエタノールアミン（ＴＥＡ）である。活性成分として使用される他の材料は、本件開示を読むことにより当業者には明らかであろう。
【００１３】
更に詳細には、この活性成分は、トリエチレングリコール（ＴＥＧ）、ジプロピレングリコール、プロピレングリコール及びこれらの組合せからなる群から選択されたグリコールである。トリエタノールアミンも、活性成分の一つの選択肢である。
【００１４】
ここで開示される軟質表面を脱臭する方法は、一つの実施形態において、液体配合物（但し、この液体配合物は、トリエチレングリコール（ＴＥＧ）、ジプロピレングリコール及びプロピレングリコールからなる群から選択されたグリコールであってよい活性成分又は室温で０．００３５ｍｍＨｇ未満の蒸気圧を有する他の成分を含有する）を、軟質表面の上に噴霧する工程、及び、この配合物を軟質表面の中に吸収させて、軟質表面中に存在している臭気発生物質と接触させる工程を含む。
【００１５】
このような方法に於いて、グリコール又は他の活性成分、担体、芳香剤及び界面活性剤の凝集物（ａｇｇｌｏｍｅｒａｔｉｏｎ）が、軟質表面中に生成する。臭気発生物質がこれらの凝集物と接触するとき、凝集物はその中に臭気発生物質を溶解させ、それによって、臭気発生物質の部分蒸気圧及びそれによって発生する臭気を低減させる。グリコール又は他の活性成分は液体形で残留するので、乾燥した残渣は現れないか又は目に見えない。
【００１６】
ある態様において、この配合物は、更に、水と、短鎖一価アルコール等の低分子量アルコールとを含有している。この概念の別の態様において、このアルコールは、エタノール、イソプロパノール、ブタノール及びプロパノールからなる群から選択される。コストが低く臭気が許容可能であることから、現在はエタノールが好ましい。追加の共溶媒には、グリコールエーテル、例えば、グリコールモノエチルエーテル及びジエチレングリコールブチルエーテルなどが含まれる。
【００１７】
アルコール及び水の両方は、溶媒又は担体として作用し、アルコールは、開示される液体配合物の乾燥時間を短縮する。好ましくは、アルコールは、水に比較して少量成分であり、水の含有量は約７５〜９５重量％の範囲であり、そしてアルコール含有量は約１〜約１０重量％の範囲であり、最も好ましくは約６重量％である。
【００１８】
他の態様に於いて、この配合物は、更に複数の界面活性剤を含有する。この界面活性剤は、複数の非イオン性界面活性剤、非イオン性界面活性剤とイオン性界面活性剤との組合せを含み得、より特定的には、非イオン性界面活性剤とカチオン性界面活性剤との組合せを含み得る。両性及び双性イオン性界面活性剤を使用することもできる。
【００１９】
この概念の他の態様に於いて、複数の界面活性剤には、少なくとも１種のイオン性界面活性剤及び少なくとも１種の非イオン性界面活性剤が含有される。この配合物中に使用される界面活性剤は、他の用途においても乳化剤として知られており、本開示の目的からは、界面活性剤及び乳化剤の共通の特性、即ち、表面張力を減少させることが、本件特許出願の目的のための重要な機能であるので、用語「界面活性剤」及び「乳化剤」は互換性であると考えられるであろう。複数の非イオン性界面活性剤の組合せが、非イオン性界面活性剤とカチオン性界面活性剤との組合せと同様に有効であることが見出された。
【００２０】
ある態様において、非イオン性界面活性剤には、エーテルと水素添加油との組合せが含まれる。別の態様において、非イオン性界面活性剤には、ポリグリコールエーテルと水素化ヒマシ油との組合せが含まれる。更に別の態様において、ポリグリコールエーテルは、ポリオキシエチレンアルキルエーテルである。
【００２１】
他の態様において、イオン性界面活性剤はカチオン性界面活性剤である。好ましくは、カチオン性界面活性剤は、第四級アンモニウム塩である。第四級アンモニウム塩を使用することの利点は、これらの塩の抗菌特性である。
【００２２】
上記の方法を実施するための配合物として開示される一つは、水、短鎖一価アルコール、トリエチレングリコール（ＴＥＧ）、ジプロピレングリコール、プロピレングリコール及びこれらの組合せからなる群から選択されたグリコール又は室温で液体であり、室温で０．００３５ｍｍＨｇ未満の蒸気圧を有する他の材料、芳香剤、少なくとも１種の非イオン性界面活性剤並びに少なくとも１種のイオン性界面活性剤を含有している。前記のように、ジプロピレングリコール及びプロピレングリコールを、現在好ましいグリコールであるＴＥＧの代わりにすることができる。また、前述のように、これらのグリコールの組合せを使用することもできる。
【００２３】
ある態様において、グリコールは、０．５〜約５重量％の範囲内の量で存在し得る。最も好ましくは、好ましいが必須ではないグリコールであるＴＥＧは、前記配合物を約１重量％含む。
【００２４】
他の態様において、適用される配合物は、約１〜約１０重量％の低分子量一価アルコール又はグリコールエーテル、約０．５〜約５重量％のグリコール、約０．２５〜約０．７５重量％の芳香剤、約１〜約２重量％の非イオン性界面活性剤及びイオン性界面活性剤を含有し、その残余が水である。界面活性剤含有量は、約０．５〜約２重量％の範囲であってよい。
【００２５】
ある好ましい実施形態に於いて、界面活性剤の組合せは、水素化ヒマシ油、ポリグリコールエーテル及び第四級アンモニウム塩を含有する。
【００２６】
一つの好ましい実施形態に於いて、配合物は、約４〜約８重量％のエタノール、約０．５〜約１．５重量％のＴＥＧ、約０．５〜約０．７５重量％の芳香剤、約０．５〜約１．５重量％の非イオン性界面活性剤、約０．１〜約１重量％のカチオン性界面活性剤を含有し、その残余が水である。
【００２７】
この概念の別の態様において、非イオン性界面活性剤は、水素添加油及びポリグリコールエーテルの組合せを含む。別の態様において、イオン性界面活性剤は第四級アンモニウム塩を含む。更に別の態様において、非イオン性界面活性剤は、（１）グリセロール及びポリエチレングリコールオキシステアラートを含有する水素化ヒマシ油並びに（２）Ｃ11〜Ｃ15線状第二級アルカノールとエチレンオキシドとのエトキシル化生成物であるポリグリコールエーテルを含有する。
【００２８】
開示された方法及び組成物の他の利点及び特徴を、以下更に詳細に説明する。
【発明を実施するための最良の形態】
【００２９】
絨毯、室内装飾用品及び他の軟質表面用の改良された臭気低減化液体が提供される。この改良配合物は、軟質表面の中に留まっている臭気発生化合物又は分子に活性成分を送達し、それによって、活性成分が、臭気発生化合物及び分子と接触することを可能とする。如何なる特別の理論にも拘束されることなく述べれば、この活性成分は、配合物の他の材料と組み合わさって、この軟質表面中で凝集物を形成するものと考えられる。臭気発生物質又は分子がこれらの凝集物と接触すると、臭気発生物質は凝集物の中に溶解し、それによって、臭気発生物質の部分蒸気圧が、人の臭覚によって検出され得るレベルよりも低いレベルまで低下する。グリコール又は他の活性成分は液体形で残留するので、この凝集物は、長時間の間、液体凝集物として留まり、乾燥した残渣は現れないか又は目に見えない。
【００３０】
また、本件開示の配合物が軟質表面に適用されるとき、軟質表面の上に吸着した悪臭分子は、凝集物の形成の前に、まず液体水性配合物中に溶解される。悪臭分子が軟質表面から脱着するとき、分子の幾らかは、適用された水相ではなくて気相に入る。分子が、軟質表面から優先的に気相の中に脱着される程度は、水相中の分子の溶解度に依存する。良好な水溶解度を有する分子は、適用された水相に移る。劣った水溶解度を有する分子は、表面から空気中に脱着する。
【００３１】
臭気除去のための凝集機構は、溶解度パラメーターによって駆動されるので、水溶解度の低い悪臭分子は、水性又は極性溶液の中には入らず、その大部分が表面から周りの空気の中へと脱着すると考えられる。本明細書に本件開示の配合物は、このような悪臭源に対して本作用を助長する。混合溶媒系、例えば、水／アルコール／グリコールを含有する、本件開示の配合物は、適用された製品中の悪臭分子の溶解度を増すことができる。本件開示の配合物は、二重作用臭気除去機構、即ち、表面からの悪臭の脱着及び適用された製品中の悪臭分子の溶解度を上昇させる。表面から周りの空気の中へ脱着される臭気は、他の手段、例えば、自然の空気交換、即ち換気によって家庭から除去することができる。
【００３２】
混合溶媒システムによって可溶化された分子は、最終的に、低揮発性液体、例えば、グリコール又はＴＥＡ中に留まり、そしてより遅い速度で、残留するフィルムから脱着する。悪臭分子が混合溶媒システム中に吸収される程度は、混合溶媒システムの溶解度パラメーターを、悪臭分子の溶解度パラメーターに一層近く合致するように調節することによって制御することができる。
【００３３】
ある種の発臭性化合物、例えば、チオール、アミン、酸及び硫化物は、例えば、活性成分（即ち、グリコール又は室温で０．００３５ｍｍＨｇ未満の蒸気圧を有する他の液体）のコア、担体、芳香剤及び顕著な量の界面活性剤を含有する外側部分を含み得る凝集物の中に、容易に溶解するであろう。従って、本件開示の配合物は、臭気発生化合物及び分子をマスクするのではなく、それらの蒸気圧を低下させることによって、それらが検出されないようにする。
【実施例】
【００３４】
８種の例示的配合物を、以下に開示する。この開示は、特別の７種の配合物に限定されないことが注目されるべきであり、種々の成分の許容できる範囲も以下に記載する。
【００３５】
実施例１
【表１】
2009520873.tif 000003
【００３６】
実施例２
【表２】
2009520873.tif 000004
【００３７】
実施例３
【表３】
2009520873.tif 000005
【００３８】
実施例４
【表４】
2009520873.tif 000006
【００３９】
実施例５
【表５】
2009520873.tif 000007
【００４０】
実施例６
【表６】
2009520873.tif 000008
【００４１】
実施例７
【表７】
2009520873.tif 000009
【００４２】
実施例８
【表８】
2009520873.tif 000010
【００４３】
水及びエタノールは、担体及び共溶媒として機能する。エタノール又は他の短鎖一価アルコールの含有によって、適用された組成物の乾燥時間がより速くなる。エタノールは、また、優れた担体であり、必要箇所への活性成分の送達を補助する。追加的共溶媒としては、グリコールエーテル、例えば、グリコールモノエチルエーテル及びジエチレングリコールブチルエーテルが挙げられる。このアルコール及びグリコールエーテル共溶媒は、約１〜約１０重量％の範囲内で存在する。
【００４４】
ＴＥＧは適切な担体中で提供され、また軟質表面に含浸したとき急速には蒸発しないので、ＴＥＧの量は、エアロゾール空気消毒配合物と較べると、比較的少なくてよい。典型的には、空気消毒配合物は、この特定の用途、即ち、軟質表面内へ用いる場合で、ＴＥＧを約６重量％有し、このＴＥＧの量は５重量％よりも低くまで減少させることができる。上記の実施例に於いて、ＴＥＧは、配合物の１．０重量％を占める。しかしながらＴＥＧ含有量は、特定の用途又は処理される特定の臭気に応じて、広く変化させることができ、０．５重量％から６．０重量％以上までの範囲であってもよい。それらの１．０重量％のＴＥＧ含有量を有する上記の実施例１〜４及び７〜８は、単に、現時点で好ましい実施形態である。
【００４５】
ＴＥＧは、使用できるグリコールの唯一のものではない。ジプロピレングリコール（実施例６）及びプロピレングリコールも適している。更に、室温で液体であり、室温で０．００３５ｍｍＨｇ未満の蒸気圧を有する活性成分を使用することもできる。
【００４６】
ＴＥＧ又は他のグリコールに対する他の代替物は、トリエタノールアミン（ＴＥＡ）である。実施例５を参照のこと。ＴＥＧと同様に、ＴＥＡは、室温で液体であり、室温で低い蒸気圧（３．６×１０-6ｍｍＨｇ）を有し、不快ではない臭いを有する。
【００４７】
利用される芳香剤は、ニュージャージー州、４  Ｖｏｌｖｏ  Ｄｒｉｖｅ，Ｒｏｃｋｌｅｉｇｈ、０７６４７に事務所を有する日本の会社であるＴａｋａｓｈａｇｏ  Ｉｎｔｅｒｎａｔｉｏｎａｌ  Ｃｏｒｐ．（ｈｔｔｐ：／／ｗｗｗ．ｔａｋａｓｈａｇｏ．ｃｏｍ）から得ることができる。勿論、当業者には、他にも芳香剤の供給者が存在し、本件明細書の開示は、ここに使用された特定の芳香剤に限定されないことが理解されよう。好ましい芳香剤の範囲は、約０．２５〜約０．７５重量％である。
【００４８】
界面活性剤／乳化剤の新たな組合せを使用することもできる。実施例１及び２では、水素化ヒマシ油及びポリグリコールエーテルの形で、非イオン性界面活性剤のみが使用されている。水素化ヒマシ油は、商品名ＰＲＯＴＡＣＨＥＭ（登録商標）ＣＡＨ−６０及びＩＮＣＩ／ＣＴＦＡ化学名「ＰＥＧ−６０水素化ヒマシ油」として販売されている。これらの材料は、Ｐｒｏｔａｍｅｅｎ  Ｃｈｅｍｉｃａｌｓ，Ｉｎｃ．、ニュージャージー州、３７５  Ｍｉｎｎｉｓｉｋ  Ｒｏａｄ，Ｔｏｔｏｗａ、０７５１１から得ることができる。水素化ヒマシ油にはグリセロールステアラートが含有されており、エトキシル化されている場合には、ポリエチレングリコールオキシステアラートが含有されている。
【００４９】
使用される他の非イオン性界面活性剤又は乳化剤は、ＴＥＲＧＩＴＯＬ（登録商標）１５−Ｓ−７（これは、ポリグリコールエーテルである）である。これは、Ｓｉｇｍａ−Ａｌｄｒｉｃｈ、Ｐ．Ｏ．Ｂｏｘ１４５０８、ミズーリ州、Ｓｔ．Ｌｏｕｉｓ、６３７１８及びｔｈｅ  Ｄｏｗ  Ｃｈｅｍｉｃａｌ  Ｃｏ．、ミシガン州、２０３０  Ｄｏｗ  Ｃｅｎｔｅｒ，Ｍｉｄｌａｎｄ、４８６７４から入手できる。ＴＥＲＧＩＴＯＬ（登録商標）の他の供給者は、当業者に明らかであろう。非イオン性界面活性剤のもう一つの選択肢は、日本国大阪市５４１−００４３の株式会社日本触媒から入手可能な、ＳＯＦＴＡＮＯＬ（登録商標）７０である。他の分枝状又は線状の、第一級又は第二級の、ポリエトキシル化アルコールを、非イオン性界面活性剤として使用することができる。
【００５０】
実施例１及び２には、非イオン性界面活性剤のみが含まれる。これらの実施例は、軟質表面中に存在する臭気発生分子に対して、活性成分（例えば、ＴＥＧ）及び芳香剤を送達するための優れた機構を提供するが、驚くべきことに、非イオン性界面活性剤とイオン性界面活性剤との組合せが、更に改良された有用性を呈することが見出された。少量の試薬２２４８−１４の形での第四級アンモニウム塩が、実施例３〜８において添加される。第四級アンモニウム塩と非イオン性界面活性剤との組合せにより、絨毯、室内装飾用品、寝具類、カーテンなどの内部の問題のある領域へのＴＥＧの浸透性及び送達が改良される。本件開示の配合物及び方法は、非イオン性界面活性剤とカチオン性界面活性剤との組合せを使用することによって、室内装飾用品及び絨毯中の深部に留まる臭気発生分子に、ＴＥＧを送達するための手段を提供する。ＴＥＧは、内部深くに留まっている臭気発生物質、例えば、ペットの尿又は他の問題のある臭気へ、有効に送達される。更に、試薬２２４８−１４及び他の第四級アンモニウム塩は、抗菌特性を有し、本件開示の配合物に消毒機能を付加する。合計界面活性剤含有量は、好ましくは、約０．５０〜約２重量％の範囲内である。
【００５１】
好ましい第四級アンモニウム塩（試薬２２４８−１４）は、アルキルジメチルベンジルアンモニウムクロリド及びアルキルジメチルエチルベンジルアンモニウムクロリドの混合物である。これは、Ｓｔｅｐａｎ  Ｃｏｍｐａｎｙ、イリノイ州、２２  Ｆｒｏｎｔａｇｅ  Ｒｏａｄ，Ｎｏｒｔｈｆｉｅｌｄ、６００９３（ｗｗｗ．ｓｔｅｐａｎ．ｃｏｍ）によって、２５重量％のアルキルジメチルベンジルアンモニウムクロリド、２５重量％のアルキルジメチルエチルベンジルアンモニウムクロリド、及び２〜３重量％のエタノールを含み、残りが水である調製物の形態で販売されている。
【００５２】
第四級アンモニウム塩が唯一利用可能であるわけではなく、広い範囲の種々のイオン性界面活性剤が利用可能である。カチオン性界面活性剤は第四級アンモニウム塩の形で使用されるが、他のカチオン性界面活性剤が、過度の実験無しに当業者に明らかであろう。
【００５３】
窒素噴霧用高圧ガス及び炭化水素噴霧用高圧ガスを使用するエアロゾール配合物が、実施例７及び８において提供される。
【００５４】
本件開示の方法及び組成物は、ＴＥＧ、他のグリコール、及び、室温で液体であり、室温で０．００３５ｍｍＨｇ未満の蒸気圧を有する他の物質について、軟質表面用の悪臭吸収剤としての新規な使用を提供する。ＴＥＧの使用は、軟質表面、例えば、絨毯及び室内装飾用品中に留まっている臭気を処理することにまで拡張された。この組成物が適用されるとき、悪臭源に非常に近接して、層又は凝集物が、軟質表面基体の中に形成される。臭気発生分子は、この凝集物と接触状態になり、凝集物の中に溶解し、その有効蒸気圧を低下させる。多くの悪臭成分（チオール、アミン、酸、硫化物など）は、ＴＥＧ及び他のグリコールの広スペクトル臭気抑制能力を確証する、非常に低い空気／溶媒分配係数（ヘンリー定数）を有する。要するに、悪臭成分は、空気よりもＴＥＧについてより大きい親和力を有しており、蒸気圧及び人の臭覚による知覚を低下させる。
【００５５】
活性成分（ＴＥＧ、ジプロピレングリコール、プロピレングリコール、又は、室温で０．００３５ｍｍＨｇ未満の蒸気圧を有する物質）、担体、芳香剤及び界面活性剤によって形成される凝集物又は液滴は、活性成分、芳香剤及びある担体が蓄積する内部部分又はコアと、界面活性剤が蓄積した外側表面又は外側部分とを有する。臭気発生物質は、外側（界面活性剤）層を通って凝集物のコアの中に吸収され、蒸気圧の低下を起こし、臭気を低下させる。
【００５６】
上記に開示された実施例は、芳香剤、ＴＥＧ、エタノール及び水のマイクロエマルジョンである。このマイクロエマルジョンは、適用されると、軟質表面の繊維の間の空間の中に浸透する。蒸発すると、揮発性成分（水及びアルコール）の大部分は除去され、残留する、ＴＥＧ、エタノール、水、芳香剤及び界面活性剤の凝集物又は液滴は、臭気発生化合物及び分子のための吸収剤として機能する。凝集物はまた、芳香剤増量剤としても機能する。
【００５７】
ある数の実施形態のみを記載したが、代替的実施形態及び種々の変形は、上記の説明から当業者に明らかであろう。上記実施形態とその他の代替的実施形態とは、均等物であり、本発明の開示の精神および本発明の開示の範囲の内であると考えられる。
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
軟質表面の中に留まっている又は軟質表面の上に吸着した臭気の処理方法であって、
液体組成物を、軟質表面の上に適用する工程であって、該液体組成物が、室温で液体であり、室温で０．００３５ｍｍＨｇ未満の蒸気圧を有する、少なくとも１種の活性成分を含有することを特徴とする、該工程、及び
該組成物を該軟質表面の中に吸収させて、該軟質表面中に存在している悪臭物質と接触させる工程
を含む該方法。
【請求項２】
前記組成物に、前記軟質表面中で凝集物を形成させる工程、及び
前記軟質表面中に存在している悪臭物質を、前記凝集物の中に吸収する工程を更に含む、請求項１に記載の方法。
【請求項３】
幾らかの悪臭物質を、前記軟質表面から脱着させて、環境気相の中に入らせる工程を更に含む、請求項２に記載の方法。
【請求項４】
前記組成物が、水及びアルコール又はグリコールエーテルを更に含有する、請求項２に記載の方法。
【請求項５】
前記組成物が、少なくとも１種の界面活性剤を更に含有する、請求項２に記載の方法。
【請求項６】
前記界面活性剤が、イオン性界面活性剤および非イオン性界面活性剤を含む、請求項５に記載の方法。
【請求項７】
前記界面活性剤が、ポリグリコールエーテル、水素添加油及び第四級アンモニウム塩を含む、請求項６に記載の方法。
【請求項８】
前記組成物が、更に、
水、
エタノール又はグリコールエーテル、
芳香剤、
少なくとも１種の非イオン性界面活性剤及び少なくとも１種のカチオン性界面活性剤
を更に含有する、請求項１に記載の方法。
【請求項９】
前記活性成分が、トリエチレングリコール（ＴＥＧ）、ジプロピレングリコール及びプロピレングリコールからなる群から選択されたグリコールであり、前記グリコールが、０．５重量％〜１．５重量％の範囲内の量で存在する、請求項８に記載の方法。
【請求項１０】
前記カチオン性界面活性剤が第四級アンモニウム塩を含む、請求項９に記載の方法。
【請求項１１】
前記非イオン性界面活性剤が、水素化ヒマシ油及びポリグリコールエーテルを含む、請求項１０に記載の方法。
【請求項１２】
前記組成物が、
１重量％〜１０重量％のエタノール、
０．５重量％〜１．５重量％の範囲内の量で存在する、前記活性成分であるトリエチレングリコール（ＴＥＧ）、
０．２５重量％〜０．７５重量％の芳香剤、
０．５重量％〜２重量％の非イオン性界面活性剤及びイオン性界面活性剤を含有し、残りが水である、請求項１に記載の方法。
【請求項１３】
前記界面活性剤が、水素化ヒマシ油、ポリグリコールエーテル及び第四級アンモニウム塩を含む、請求項１２に記載の方法。
【請求項１４】
軟質表面中の臭気を処理するための組成物であって、
短鎖一価アルコール又はグリコールエーテル、
室温で液体であり、室温で０．００３５ｍｍＨｇ未満の蒸気圧を有する、少なくとも１種の活性成分、
少なくとも１種の界面活性剤、及び
水
を含む組成物。
【請求項１５】
前記少なくとも１種の界面活性剤が、非イオン性界面活性剤及びカチオン性界面活性剤を含む、請求項１４に記載の組成物。
【請求項１６】
前記少なくとも１種の界面活性剤が、ポリグリコールエーテル及び水素添加油及び第四級アンモニウム塩を含む、請求項１４に記載の組成物。
【請求項１７】
前記水素添加油が水素化ヒマシ油であり、前記ポリグリコールエーテルがポリオキシエチレンアルキルエーテルである、請求項１６に記載の組成物。
【請求項１８】
前記活性成分が、トリエチレングリコール（ＴＥＧ）、ジプロピレングリコール、プロピレングリコール及びトリエタノールアミン（ＴＥＡ）からなる群から選択され、０．５重量％〜１．５重量％の範囲内の量で存在する、請求項１４に記載の組成物。
【請求項１９】
前記活性成分がＴＥＡである、請求項１８に記載の組成物。
【請求項２０】
前記アルコールがエタノールであって、１重量％〜１０重量％の範囲内の量で存在し、
前記活性成分がトリエチレンアミンであって、０．５重量％〜１．５重量％の範囲内の量で存在し、
０．２５重量％〜０．７５重量％が芳香剤であり、
０．５重量％〜２重量％が非イオン性界面活性剤及びイオン性界面活性剤であり、かつ
残りが水である、
請求項１４に記載の組成物。
【請求項２１】
前記界面活性剤が、水素化ヒマシ油、少なくとも１種のポリグリコールエーテル及び第四級アンモニウム塩を含む、請求項２０に記載の組成物。
【請求項２２】
軟質表面中に留まっている又は軟質表面の上に吸着した臭気を処理するための組成物であって、
１重量％〜１０重量％のエタノール、
０．５重量％〜１．５重量％のＴＥＧ、
０．２５重量％〜０．７５重量％の芳香剤、
０．５重量％〜１．５重量％の、水素添加油及びポリグリコールエーテルを含む非イオン性界面活性剤、
０．１重量％〜１重量％のイオン性界面活性剤としての第四級アンモニウム塩を含み、
残りが水である、該組成物。
【請求項２３】
軟質表面の中に留まっている臭気の処理方法であって、
トリエチレングリコールと、少なくとも１種の短鎖一価アルコールと、水と、イオン性界面活性剤及び非イオン性界面活性剤の組合せとを含有する液体組成物を、軟質表面の上に適用する工程、
前記組成物を前記軟質表面の中に吸収させて、前記軟質表面中に存在している悪臭物質と接触させる工程と、
前記組成物に、前記軟質表面中で凝集物を形成させる工程、及び
前記軟質表面中に存在している悪臭物質を、前記凝集物の中に吸収する工程
を含む方法。
【国際調査報告】
2009520873.tif 000011
2009520873.tif 000012
2009520873.tif 000013
2009520873.tif 000014
2009520873.tif 000015